(57)【要約】【課題】シューズにおいて、着用者が直進動作またはジャンプ動作等をしたときでも足首周囲に対するアッパーのフィット感を高めることができるようにする。【解決手段】シューズは、弾性材からなり、路面に接地する接地面を有するソールと、ソールに設けられ、着用者の足を覆うアッパーと、足の前足部Ｆから後足部に亘って架け渡されるようにソールおよびアッパーに配設され、ソールおよびアッパーに対して相対移動可能な紐部材と、を備えている。紐部材は、足をＭＰ関節で屈曲させてソールがＭＰ領域で上下に反るように屈曲して伸長するときに、第１延伸部が屈曲することにより第２延伸部が前記先端部側に引っ張られるように構成されている。【選択図】図６
2019042394.tif 000002
【特許請求の範囲】
【請求項１】
弾性材からなり、路面に接地する接地面を有するソールと、
前記ソールに設けられ、着用者の足を覆うアッパーと、
足の前足部から後足部に亘って架け渡されるように前記ソールおよび前記アッパーに配設され、該ソールおよび該アッパーに対して相対移動可能な紐部材と、を備え、
前記アッパーの上部には、着用者の足首周囲を覆う足挿入部が設けられており、
前記ソールは、
前足部においてＭＰ関節よりも前方の爪先部に対応する爪先領域と、
前足部においてＭＰ関節の位置に対応するＭＰ領域と、
後足部において踵部に対応する踵部領域と、を含み、
前記紐部材は、
前記爪先領域において前記ソールの接地面に対して掛止される先端部と、
前端が前記先端部に連続し、前記ＭＰ領域において前記ソールの接地面に対して略平行となるように後方に延びる第１延伸部と、
前端が前記第１延伸部の後端に連続し、前記踵部領域において前記ソールの接地面から前記アッパーの両側部ないし後部に向かって後方に延びる第２延伸部と、を有し、
前足部をＭＰ関節で屈曲させて前記ソールが前記ＭＰ領域で上下に反るように屈曲して伸長するときに、前記第１延伸部が屈曲することにより前記第２延伸部が前記先端部側に引っ張られる、シューズ。
【請求項２】
請求項１に記載のシューズにおいて、
前記第１延伸部は、前記ソールの厚み方向略中央よりも前記ソールの接地面側に配置されている、シューズ。
【請求項３】
請求項１または２に記載のシューズにおいて、
前記先端部は、足幅方向に間隔をあけて左右一対となるように設けられており、
前記紐部材は、前記先端部に連続しかつ該先端部から前記ソールの接地面に対して略平行となる方向に沿って前後方向に延びる第３延伸部を有しており、
前記第３延伸部は、その中途部が前記爪先領域と前記ＭＰ領域よりも後方の位置との間で少なくとも１回往復するように前後方向に延びている、シューズ。
【請求項４】
請求項３に記載のシューズにおいて、
前記ソールには、前記第３延伸部における中途部の往復点となる折り返し部分を掛止するための折り返し用掛止部が設けられている、シューズ。
【請求項５】
請求項３または４に記載のシューズにおいて、
前記アッパーには、前記足挿入部に連通して前後方向に延びる開口部、および該開口部の開き具合を調整するための靴紐が設けられており、
前記紐部材は、前記第３延伸部が前記靴紐に取り付けられた状態で該靴紐に連結されている、シューズ。
【請求項６】
請求項１〜５のいずれか１項に記載のシューズにおいて、
前記ソールには、前記紐部材を該接地面に沿わせた状態で保持するための保持部材が設けられている、シューズ。
【発明の詳細な説明】
【技術分野】
【０００１】
本発明は、シューズに関するものである。
【背景技術】
【０００２】
従来から、例えば特許文献１のように、足首周囲に対するアッパーのフィット性を向上させたシューズが知られている。具体的に、この特許文献１のシューズは、路面に接地する接地面を有するソールと、ソールに設けられて着用者の足首周囲を覆う足挿入部を有するアッパーと、を備えており、アッパーの足挿入部における外甲側または内甲側の少なくともいずれか一方には、前後方向に伸縮自在な伸縮領域が設けられている。
【先行技術文献】
【特許文献】
【０００３】
【特許文献１】特開２００８−１３２２２７号公報
【発明の概要】
【発明が解決しようとする課題】
【０００４】
一般的に、歩行および走行による直進動作あるいはジャンプ動作等のように、シューズの着用者が足を路面に接地させた状態から足の踵部を路面から離反させかつ前足部の中足趾節関節（いわゆるＭＰ関節）で屈曲させたときに、ソールがＭＰ関節に対応する位置で上下に反るように屈曲して伸長する。このとき、アッパーの足挿入部が足幅方向外側に向かって開いてしまい、アッパーの足挿入部が足首周囲にフィットしないことがある。
【０００５】
一方、特許文献１のシューズでは、アッパーに伸縮領域が設けられているため、着用者が直進動作あるいはジャンプ動作等をしたときにアッパーの上部が前後方向に収縮して、足挿入部が足幅方向外側に向かって開きにくくなる。しかしながら、特許文献１のシューズでは、伸縮領域が柔らかくなっているため、特に直進動作時あるいはジャンプ動作時において着用者の足首周囲がアッパーの足挿入部により十分に保持されずに不安定となってしまう。また、伸縮領域が柔らかくなっていることから、シューズに対する足の着脱も容易ではなかった。
【０００６】
本発明は斯かる点に鑑みてなされたものであり、その目的は、着用者が直進動作またはジャンプ動作等をしたときでも足首周囲に対するアッパーのフィット感を高めることができるようにすることにある。
【課題を解決するための手段】
【０００７】
上記の目的を達成するために、本発明の第１の形態はシューズに係るものであり、このシューズは、弾性材からなり、路面に接地する接地面を有するソールと、ソールに設けられ、着用者の足を覆うアッパーと、足の前足部から後足部に亘って架け渡されるようにソールおよびアッパーに配設され、ソールおよびアッパーに対して相対移動可能な紐部材と、を備えている。アッパーの上部には、着用者の足首周囲を覆う足挿入部が設けられている。ソールは、前足部においてＭＰ関節よりも前方の爪先部に対応する爪先領域と、前足部においてＭＰ関節の位置に対応するＭＰ領域と、後足部において踵部に対応する踵部領域と、を含んでいる。紐部材は、爪先領域においてソールの接地面に対して掛止される先端部と、前端が先端部に連続し、ＭＰ領域においてソールの接地面に対して略平行となるように後方に延びる第１延伸部と、前端が第１延伸部の後端に連続し、踵部領域においてソールの接地面からアッパーの両側部ないし後部に向かって後方に延びる第２延伸部と、を有している。そして、前足部をＭＰ関節で屈曲させてソールがＭＰ領域で上下に反るように屈曲して伸長するときに、第１延伸部が屈曲することにより第２延伸部が先端部側に引っ張られることを特徴とする。
【０００８】
この第１の形態では、前足部をＭＰ関節で屈曲させてソールがＭＰ領域で上下に反るように屈曲して伸長するときに、第１延伸部が屈曲することにより第２延伸部が先端部側に引っ張られる。第２延伸部が先端部側に引っ張られると、アッパーの足挿入部が足幅方向内側に向かって締め付けられる。これにより、着用者の足がＭＰ関節で屈曲したときであっても、アッパーの足挿入部が足幅方向外側に向かって広がらないようになる。すなわち、足挿入部の形状を、前足部がＭＰ関節で屈曲したときでも着用者の足首周囲を覆った状態に保つことが可能となる。したがって、第１の形態では、着用者が直進動作またはジャンプ動作等をしたときでも足首周囲に対するアッパーのフィット感を高めることができる。
【０００９】
第２の形態は、第１の形態において、第１延伸部は、ソールの厚み方向略中央よりもソールの接地面側に配置されていることを特徴とする。
【００１０】
この第２の形態では、前足部をＭＰ関節で屈曲させたときにソールの接地面側に位置する部分がソールの厚み方向略中央に位置する部分よりも大きく伸長することから、第１延伸部を接地面側に配置することでより大きく屈曲させることが可能となる。このため、第２延伸部が先端部側に強く引っ張られて、足首周囲に対するアッパーのフィット感をより一層高めることができる。
【００１１】
第３の形態は、第１または第２の形態において、先端部は、足幅方向に間隔をあけて左右一対となるように設けられており、紐部材は、先端部に連続しかつ該先端部からソールの接地面に対して略平行となる方向に沿って前後方向に延びる第３延伸部を有しており、第３延伸部は、その中途部が爪先領域とＭＰ領域よりも後方の位置との間で少なくとも１回往復するように前後方向に延びていることを特徴とする。
【００１２】
この第３の形態では、足をＭＰ関節で屈曲させてソールがＭＰ領域で上下に反るように屈曲して伸長するときに、第３延伸部が第１延伸部とともに屈曲するようになる。これにより、第２延伸部を先端部側に向かって引っ張る力が増大される。その結果、アッパーの足挿入部は、上記引っ張り力により足幅方向内側に向かってより一層強く締め付けられる。したがって、前足部がＭＰ関節で屈曲したときに足首周囲に対するアッパーのフィット感をより一層高めることができる。
【００１３】
第４の形態は、第３の形態において、ソールには、第３延伸部における中途部の往復点となる折り返し部分を掛止するための折り返し用掛止部が設けられていることを特徴とする。
【００１４】
この第４の形態では、折り返し用掛止部により第３延伸部を所定の位置で容易に折り返すことができる。
【００１５】
第５の形態は、第３および第４の形態において、アッパーには、足挿入部に連通して前後方向に延びる開口部、および該開口部の開き具合を調整するための靴紐が設けられており、紐部材は、第３延伸部が靴紐に取り付けられた状態で該靴紐に連結されていることを特徴とする。
【００１６】
この第５の形態では、靴紐の締め付け力を強くすると、アッパーの開口部が狭まるとともに、第３延伸部がアッパーの開口部側に引っ張られるようにソールおよびアッパーに対して相対移動する。一方、靴紐の締め付け力を弱くすると、アッパーの開口部が広がるとともに、第３延伸部がアッパーの開口部側から離反するようにソールおよびアッパーに対して相対移動する。これにより、ソールおよびアッパーに対する紐部材の緩み具合を調整することができる。また、シューズを着用する前において、紐部材のソールおよびアッパーに対する締め付け力を一定に保つことも可能となる。
【００１７】
第６の形態は、第１〜第５のいずれか１つの形態において、ソールには、紐部材を接地面に沿わせた状態で保持するための保持部材が設けられていることを特徴とする。
【００１８】
この第６の形態では、紐部材を、保持部材により着用者の足の接地動作にかかわらず接地面に沿わせた状態で適切に保持することができる。
【発明の効果】
【００１９】
以上説明したように、本発明によると、着用者が直進動作またはジャンプ動作等をしたときでも足首周囲に対するアッパーのフィット感を高めることができる。
【図面の簡単な説明】
【００２０】
【図１】図１は、本発明の第１実施形態に係るシューズを示す斜視図である。
【図２】図２は、シューズを足の骨格構造と併せて示す平面図である。
【図３】図３は、シューズを足の骨格構造と併せて外甲側から見て示す側面図である。
【図４】図４は、ソールを足の骨格構造と併せて概略的に示すシューズの底面図である。
【図５】図５は、着用者の足が路面に接地しているときのシューズおよび紐部材の状態を外甲側から見て概略的に示す側面図である。
【図６】図６は、着用者の足の踵部が路面から離反しかつ前足部のＭＰ関節が屈曲したときのシューズおよび紐部材の状態を外甲側から見て概略的に示す図５相当図である。
【図７】図７は、本発明の第２実施形態に係るシューズを示す図４相当図である。
【図８】図８は、第２実施形態の変形例に係るシューズを示す図３相当図である。
【発明を実施するための形態】
【００２１】
以下、本発明の各実施形態を図面に基づいて詳細に説明する。以下の各実施形態の説明は、本質的に例示に過ぎず、本発明、その適用物或いはその用途を制限することを意図するものではない。
【００２２】
［第１実施形態］
図１〜図３は、本発明の第１実施形態に係るシューズＳの全体を示し、このシューズＳは、例えばランニング、各種球技、バトミントン等の各種競技におけるスポーツ用シューズ、日常使用のスニーカー、リハビリ用シューズなどに適用される。
【００２３】
ここで、シューズＳは、左足用シューズのみを例示している。右足用シューズは、左足用シューズと左右対称になるように構成されているので、以下の説明では左足用シューズのみについて説明し、右足用シューズの説明は省略する。
【００２４】
また、以下の説明において、上方（上側）および下方（下側）とはシューズＳの上下方向の位置関係を表し、前方（前側）および後方（後側）とはシューズＳの前後方向の位置関係を表し、内甲側および外甲側とはシューズＳの足幅方向の位置関係を表すものとする。
【００２５】
図１〜図３に示すように、シューズＳは、弾性材からなるソール１を備えている。ソール１は、シューズＳを着用した者（以下「着用者」という）の足の前足部Ｆから後足部Ｈに亘る範囲に設けられたアウトソール２を有している。このアウトソール２は、後述するミッドソール３よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。アウトソール２の下面には、路面（地面、床面など）に接する接地面２ａが形成されている。
【００２６】
また、ソール１は、前足部Ｆから後足部Ｈまでの足裏面を支持するミッドソール３を有している。このミッドソール３は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００２７】
ミッドソール３は、その下部が接着剤などによってアウトソール２の上側に積層配置されている。また、ミッドソール３は上下に分離されている。具体的に、ミッドソール３は、上部ミッドソール４と、上部ミッドソール４の下側に積層配置された下部ミッドソール５とを有している。上部ミッドソール４の上部には、着用者の足の足裏面を支持する足裏支持部（図示せず）が設けられている。
【００２８】
上部および下部ミッドソール４，５間には、足の後足部Ｈに対応する位置に配設された補強プレート６が設けられている。補強プレート６は、上部および下部ミッドソール４，５よりも硬質な薄肉層からなり、凹凸が前後方向に繰り返された波形状に形成されている。なお、補強プレート６としては、上記波形状に形成されたものに限られず、例えば平板状に形成されたものであってもよい。
【００２９】
ここで、図４に示すように、ソール１は、前足部Ｆにおいて中足趾節関節（いわゆるＭＰ関節）よりも前方の爪先部に対応する爪先領域Ａと、前足部ＦにおいてＭＰ関節の位置に対応するＭＰ領域Ｂと、後足部Ｈに対応する踵部領域Ｃとを含んでいる。そして、ソール１には、後述する紐部材１９の先端部２０を爪先領域Ａの接地面２ａで掛止するための先端側掛止部１２，１２が設けられている。
【００３０】
上部ミッドソール４の周縁部には、着用者の足を覆うアッパー７が設けられている。アッパー７は、前足部Ｆの爪先側から後足部Ｈの踵部後側までを覆うように形成されている。アッパー７の下部は、ミッドソール３の上部に連結されている。具体的に、アッパー７は、下部周縁が上部ミッドソール４の周縁全体に接着剤などで一体的に固着されている。
【００３１】
アッパー７は、伸縮性を有する素材からなる。具体的に、アッパー７の素材としては、編物、織物、不織布、合成皮革、人工皮革、天然皮革などが適している。例えば、アッパー７は、ポリエステルからなる糸を経編（すなわちダブルラッセル編）により編まれた網目状のメッシュ生地が好適である。
【００３２】
アッパー７の上部には、着用者の足を挿入するための足挿入部７ａが開口している。足挿入部７ａは、着用者がシューズＳを着用した状態で着用者の足首周囲を覆っている。
【００３３】
また、アッパー７の上部には、足挿入部７ａに連通して前後方向に延びる開口部７ｂが形成されている。開口部７ｂには、ハトメ飾り８が縫製等でアッパー７の上部に固着されている。ハトメ飾り８の左右縁部には、前後方向に間隔をあけて配置されたハトメ孔８ａ，８ａ，…が貫通形成されていて、各ハトメ孔８ａに靴紐９が挿通されている。この靴紐９は、開口部７ｂの開き具合を調整するためのものである。開口部７ｂの前側縁部には、開口部７ｂを開状態又は閉状態にするための舌片部１０が設けられている。
【００３４】
本発明の特徴として、図１〜図３に示すように、シューズＳは紐部材１９を備えている。紐部材１９は、着用者の足の前足部Ｆから後足部Ｈに亘って架け渡されるようにソール１およびアッパー７に配設されていて、ソール１およびアッパー７に対して相対移動可能となっている。紐部材１９は、例えば金属材または樹脂材からなり、具体的にワイヤまたは帯状のベルトなどが適している。
【００３５】
図４に示すように、紐部材１９は、爪先領域Ａの接地面２ａに対して掛止される先端部２０を有している。先端部２０は、例えば着用者の足の第２末節骨に対応する位置に配置されている。先端部２０は、接地面２ａ側に露出した状態で爪先領域Ａに設けられた先端側掛止部１２に掛止されている。この先端側掛止部１２により、先端部２０を爪先領域Ａにおいて容易に位置決めすることができる。
【００３６】
紐部材１９は、前端が先端部２０と連続するように形成された第１延伸部２１を有している。第１延伸部２１は、ＭＰ領域Ｂにおいて接地面２ａに対し略平行となるように後方に延びている。言い換えると、第１延伸部２１は、接地面２ａに沿って爪先領域ＡからＭＰ領域Ｂを跨いだ状態で後方に向かって延びている。
【００３７】
第１延伸部２１は、ソール１の厚み方向略中央（図５および図６に示す一点鎖線Ｙを参照）よりも接地面２ａ側に配置されているのが好ましい。具体的に、この実施形態では、第１延伸部２１が接地面２ａ側に露出した状態で配設されている。
【００３８】
紐部材１９は、前端が第１延伸部２１の後端と連続するように形成された第２延伸部２２を有している。第２延伸部２２は、踵部領域Ｃの接地面２ａからアッパー７の両側部ないし後部に向かって後方に延びている。この実施形態において、第２延伸部２２は、ソール１の側部外面に位置しかつアッパー７後部の内部に位置するように配設されている（図１〜図３参照）。
【００３９】
ここで、シューズＳの着用者が歩行および走行による直進動作あるいはジャンプ動作等を行ったとき、すなわち、着用者が足を路面に接地させた状態（図５参照）から足の踵部を路面から離反させかつ前足部ＦのＭＰ関節を屈曲させたとき（図６参照）に、ソール１はＭＰ領域Ｂで上下に反るように屈曲して伸長する。このとき、図６に示すように、紐部材１９は、第１延伸部２１がＭＰ領域Ｂでソール１とともに上下に反るように屈曲する。第２延伸部２２は、第１延伸部２１の屈曲により先端部２０側に引っ張られるようになる。具体的に、第２延伸部２２は、ＭＰ領域Ｂにおいてソール１の厚み方向略中央よりも接地面２ａ寄りの部分が前後方向に伸長したときの長さ（図６に示す矢印Ｌを参照）に応じて、紐部材１９の先端部２０側に引っ張られるようになる（図６に示す矢印Ｐを参照）。
【００４０】
（第１実施形態の作用効果）
以上のように、紐部材１９は、前足部ＦをＭＰ関節で屈曲させてソール１がＭＰ領域Ｂで上下に反るように屈曲して伸長するときに、第１延伸部２１が屈曲することにより第２延伸部２２が先端部２０側に引っ張られるように構成されている。第２延伸部２２が先端部２０側に引っ張られると、アッパー７の足挿入部７ａが足幅方向内側に向かって締め付けられる。これにより、着用者の足がＭＰ関節で屈曲したときであっても、アッパー７の足挿入部７ａが足幅方向外側に向かって広がらないようになる。すなわち、足挿入部７ａの形状を、前足部ＦがＭＰ関節で屈曲したときでも着用者の足首周囲を覆った状態に保つことが可能となる。したがって、本発明の第１実施形態に係るシューズＳでは、着用者が直進動作またはジャンプ動作等をしたときでも足首周囲に対するアッパー７のフィット感を高めることができる。
【００４１】
また、前足部ＦをＭＰ関節で屈曲させたときに接地面２ａ側に位置する部分がソール１の厚み方向略中央に位置する部分よりも大きく伸長することから、第１延伸部２１を、ソール１の厚み方向略中央よりも接地面２ａ側に配置することでより大きく屈曲させることが可能となる。このため、第２延伸部２２が先端部２０側に強く引っ張られて、足首周囲に対するアッパー７のフィット感をより一層高めることができる。
【００４２】
［第２実施形態］
図７は、本発明の第２実施形態に係るシューズＳを示す。この実施形態では、第１実施形態と比較して、紐部材１９の構成要素が一部追加されているとともに、紐部材１９を接地面２ａに保持するための部材が追加されている。なお、この実施形態に係るシューズＳの他の構成は、第１実施形態に係るシューズＳの構成と同様である。このため、以下の説明では、図１〜図６と同じ部分について同じ符号を付し、その詳細な説明を省略する。
【００４３】
図７に示すように、ソール１には、紐部材１９をソール１の接地面２ａに沿わせた状態で保持するための保持部材３０が設けられている。保持部材３０は、爪先領域Ａに配置された前側保持部３１と、前足部Ｆの位置で前後方向に互いに間隔をあけて配置された中央保持部３２，３２，…と、後足部Ｈに配置された後側保持部３３とにより構成されている。保持部３１〜３３の各々は、ソール１の接地面２ａ側に配設されている。また、保持部３１〜３３の各々の下部には、凹陥状の溝部４０，４０，…が形成されている。なお、図７では、保持部３１〜３３を強調して示すために、保持部３１〜３３の各々にドットによるハッチングを付している。
【００４４】
前側保持部３１の各溝部４０は、前後方向に向かって延びる直線部４１，４１と、各直線部４１の前端に連続しかつ略円環状に形成された円環部４２とからなる。中央保持部３２の各溝部４０は、前後方向に向かって延びている。後側保持部３３の各溝部４０は、前後方向に向かって延びる直線部４１，４１と、各直線部４１の後端に連続しかつ円環状に形成された円環部４２とからなる。
【００４５】
この実施形態において、紐部材１９は、先端部２０，２０が足幅方向に間隔をあけて左右一対となるように設けられている。先端部２０，２０は、前側保持部３１において内甲側および外甲側のそれぞれに位置する溝部４０の円環部４２に掛止されている。すなわち、前側保持部３１において内甲側および外甲側のそれぞれに位置する各溝部４０の円環部４２は、上記第１実施形態で示した先端側掛止部１２に相当する。
【００４６】
第１延伸部２１，２１は、内甲側および外甲側のそれぞれに位置するように分離形成されている。内甲側の第１延伸部２１は、先端部２０における内甲側の後端部分に連続していて、各中央保持部３２の内甲側に位置する溝部４０に掛止された状態で保持されている。外甲側の第１延伸部２１は、先端部２０における外甲側の後端部分に連続していて、各中央保持部３２の外甲側に位置する溝部４０に掛止された状態で保持されている。
【００４７】
紐部材１９は、各先端部２０の内側後端に連続する第３延伸部２３を有している。第３延伸部２３は、各中央保持部３２の溝部４０，４０，…内で保持されていて、各先端部２０から接地面２ａに対して略平行となる方向に沿って前後方向に延びている。
【００４８】
第３延伸部２３は、その中途部が爪先領域ＡとＭＰ領域Ｂよりも後方の位置との間で２回往復するように前後方向に連続して延びている。なお、この実施形態では、第３延伸部２３の中途部が２回往復している形態を示しているが、この形態に限定されない。すなわち、第３延伸部２３は、その中途部が爪先領域ＡとＭＰ領域Ｂよりも後方の位置との間で少なくとも１回往復するように前後方向に延びていればよい。
【００４９】
また、第３延伸部２３の中途部は、前側保持部３１における足幅方向中央に位置する溝部４０の円環部４２に掛止されかつ後側保持部３３における各溝部４０の円環部４２に掛止されている。すなわち、これらの円環部４２，４２，…は、第３延伸部２３における中途部の往復点となる折り返し部分を掛止するための折り返し用掛止部として機能する。
【００５０】
（第２実施形態の作用効果）
以上のように、この実施形態に係るシューズＳにおいて、第３延伸部２３は、その中途部が爪先領域ＡとＭＰ領域Ｂよりも後方の位置との間で少なくとも１回往復するように前後方向に延びている。すなわち、第３延伸部２３は、ソール１のＭＰ領域Ｂを跨いで前後方向に延びている。このため、紐部材１９は、前足部ＦをＭＰ関節で屈曲させてソール１がＭＰ領域Ｂで上下に反るように屈曲して伸長するときに、第３延伸部２３が第１延伸部２１とともに屈曲するようになる。これにより、上記第１実施形態と比較して、第２延伸部２２を先端部２０側に向かって引っ張る力が増大される。その結果、アッパー７の足挿入部７ａが上記引っ張り力により足幅方向内側に向かってより一層強く締め付けられる。したがって、この実施形態に係るシューズＳでは、前足部ＦがＭＰ関節で屈曲したときに足首周囲に対するアッパー７のフィット感をより一層高めることができる。
【００５１】
また、この実施形態に係るシューズＳでは、第３延伸部２３における中途部の往復点となる折り返し部分を掛止するための折り返し用掛止部が設けられているため、第３延伸部２３を所定の位置で容易に折り返すことができる。
【００５２】
また、この実施形態に係るシューズＳでは、紐部材１９を接地面２ａに沿わせた状態で保持するための保持部材３０が設けられているため、着用者の足の接地動作にかかわらず、紐部材１９を接地面２ａに沿わせた状態で適切に保持することができる。
【００５３】
なお、保持部３１〜３３の各々に設けられた溝部４０の円環部４２（先端側掛止部および折り返し用掛止部）は、その外径が比較的大きくなるように形成されているのが好ましい。円環部４２の外径が大きく形成されていれば、紐部材１９と各円環部４２との接触により生じる摩擦力を各円環部４２の周縁全体に分散させることが可能となる。その結果、紐部材１９がソール１およびアッパー７に対して相対移動しやすくなる。
【００５４】
（第２実施形態の変形例）
図８は、上記第２実施形態の変形例に係るシューズＳを示している。この変形例に係るシューズＳにおいて、ソール１には、接地面２ａからソール１（上部ミッドソール４）の側部に亘って貫通形成された挿通孔５０が設けられている。一方、第３延伸部２３は２つに分離されていて、各々が挿通孔５０に挿通された状態で接地面２ａからソール１の側部を経てアッパー７の開口部７ｂに亘って延びている。そして、第３延伸部２３の末端には輪状の連結部２４が形成されていて、この連結部２４が靴紐９に取り付けられている。
【００５５】
以上のように、この変形例に係るシューズＳでは、紐部材１９が第３延伸部２３を介して靴紐９に連結されている。具体的に、紐部材１９は、第３延伸部２３が靴紐９に取り付けられた状態で靴紐９に連結されている。このため、靴紐９の締め付け力を強くすると、アッパー７の開口部７ｂが狭まるとともに、第３延伸部２３がアッパー７の開口部７ｂ側に引っ張られるようにソール１およびアッパー７に対して相対移動する。一方、靴紐９の締め付け力を弱くすると、アッパー７の開口部７ｂが広がるとともに、第３延伸部２３がアッパー７の開口部７ｂ側から離反するようにソール１およびアッパー７に対して相対移動する。これにより、ソール１およびアッパー７に対する紐部材１９の緩み具合を調整することができる。また、シューズＳを着用する前において、紐部材１９のソール１およびアッパー７に対する締め付け力を一定に保つことも可能となる。
【００５６】
［その他の実施形態］
上記各実施形態に係るシューズＳとして、紐部材１９を構成する先端部２０および第１延伸部２１が接地面２ａ側に露出している形態を示したが、この形態に限られない。例えば、先端部２０および第１延伸部２１を、ソール１の厚み方向略中央よりも接地面２ａ側の位置でソール１の内部に収納した状態でソール１に対し相対移動可能とすればよい。上記第２実施形態の第３延伸部２３についても、これと同様である。
【００５７】
また、上記各実施形態に係るシューズＳとして、第２延伸部２２がソール１の側部外面に位置しかつアッパー７後部の内部に位置する形態を示したが、この形態に限られない。例えば、第２延伸部２２は、アッパー７の内部に収納されていてもよい。あるいは、第２延伸部２２は、アッパー７の外側に露出していてもよい。要は、第２延伸部２２がアッパー７に対して相対移動可能となるように構成されていればよい。
【００５８】
また、上記第２実施形態に係るシューズＳとして、保持部材３０を備える形態を示したが、この形態に限られない。すなわち、シューズＳは保持部材３０を備えていなくてもよい。或いは、保持部材３０における一部の構成を省略した形態としてもよい。要は、シューズＳとして、紐部材１９の第１および第３延伸部２１，２３が接地面２ａに沿うように前後方向に延びていればよい。
【００５９】
以上、本発明についての実施形態を説明したが、本発明は上述の実施形態のみに限定されず、発明の範囲内で種々の変更が可能である。
【産業上の利用可能性】
【００６０】
本発明は、例えばランニング、各種球技、バトミントン等の各種競技におけるスポーツ用シューズ、日常使用のスニーカー、リハビリ用シューズとして産業上の利用が可能である。
【符号の説明】
【００６１】
Ｓ：シューズ
１：ソール
２：アウトソール
２ａ：接地面
３：ミッドソール
７：アッパー
７ａ：足挿入部
７ｂ：開口部
９：靴紐
１２：先端側掛止部
１９：紐部材
２０：先端部
２１：第１延伸部
２２：第２延伸部
２３：第３延伸部
２４：連結部
３０：保持部材
３１：前側保持部
３２：中央保持部
３３：後側保持部
４０：溝部
４１：直線部
４２：円環部
５０：挿通孔
Ａ：爪先領域
Ｂ：ＭＰ領域
Ｃ：踵部領域
【図１】
2019042394.tif 000003
【図２】
2019042394.tif 000004
【図３】
2019042394.tif 000005
【図４】
2019042394.tif 000006
【図５】
2019042394.tif 000007
【図６】
2019042394.tif 000008
【図７】
2019042394.tif 000009
【図８】
2019042394.tif 000010